【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
モノのインターネットデバイスすなわちＩｏＴデバイスから遠隔にあるウェアラブルデバイスを介して、当該ＩｏＴデバイスを制御する方法であって、当該方法は、
一意のウェアラブルデバイスＩＤを含むウェアラブルデバイスであって、少なくとも１つのセンサと、プロセッサと、１つ以上のウェアラブルデバイスアプリケーションを格納するためのウェアラブルデバイスアプリケーションデータベースと、通信インターフェースとを含む、着用又は持ち運ばれるウェアラブルデバイスを提供するステップと、
前記少なくとも１つのセンサから、センサデータを受信するステップと、
受信した前記センサデータのデータのタイプを決定するステップと、
受信した前記センサデータの決定された前記データのタイプに基づいて、受信した前記センサデータを、前記ウェアラブルデバイスアプリケーションデータベース内に格納された前記１つ以上のウェアラブルデバイスアプリケーションとマッチさせるステップと、
受信した前記センサデータを解析するために、前記ウェアラブルデバイスアプリケーションデータベース内に格納された前記１つ以上のウェアラブルデバイスアプリケーションのうちの少なくとも１つを、少なくとも１つのマッチに基づいて選択するステップと、
受信した前記センサデータが、トリガリングイベントを含むかどうかを決定するために、受信した前記センサデータを、選択された前記１つ以上のウェアラブルデバイスアプリケーションのうちの前記少なくとも１つであるそれぞれのウェアラブルデバイスアプリケーションに係る所定のトリガと比較することによって、選択された前記１つ以上のウェアラブルデバイスアプリケーションのうちの前記少なくとも１つを介して、受信した前記センサデータを解析するステップと、
受信した前記センサデータが、トリガリングイベントを含む場合、遠隔のＩｏＴデバイス向けの１つ以上の動作コマンドを生成するステップと、
（ｉ）前記１つ以上の動作コマンド、及び（ｉｉ）前記一意のウェアラブルデバイスＩＤの両方を、遠隔の前記ＩｏＴデバイスに送信するステップであって、前記ＩｏＴデバイスは、送信された前記１つ以上の動作コマンド、及び送信された前記一意のウェアラブルデバイスＩＤに応じて、（ａ）ＩｏＴデバイスコマンドデータベースからの少なくとも１つのＩｏＴデバイスコマンド、及び（ｂ）前記ＩｏＴデバイスの１つ以上のＩｏＴアクチュエータの少なくとも１つのアクチュエータＩＤの両方を読み出すステップと、
を含む、方法。
【請求項２】
ユーザインターフェースを介して、前記ウェアラブルデバイスアプリケーションデータベース内に格納された前記１つ以上のウェアラブルデバイスアプリケーションのうちのどれを、受信した前記センサデータを解析するために使用するのかに関する入力を受信するステップを更に含む、請求項１に記載の方法。
【請求項３】
前記動作コマンドは、照明器具、ロック、サーモスタット、食料準備デバイス、清掃デバイス、第１応答者緊急コール、電化製品、報酬アイテム、運動器具及びシャワーのうちの１つ以上を制御するコマンドを含む、請求項１に記載の方法。
【請求項４】
前記少なくとも１つのセンサは、ＧＰＳ、カメラ、パルスオキシメータ、温度センサ、加速度計又は電気皮膚汗センサを含む、請求項１に記載の方法。
【請求項５】
ウェアラブルデバイス通信インターフェースを介して、ウェアラブルデバイスアプリケーションを、アプリケーションネットワークから前記ウェアラブルデバイスにダウンロードし、ダウンロードされた前記ウェアラブルデバイスアプリケーションを、前記ウェアラブルデバイスアプリケーションデータベース内に格納するステップを更に含む、請求項１に記載の方法。
【請求項６】
ウェアラブルデバイス通信インターフェースを介して、ウェアラブルデバイスアプリケーションを、前記ＩｏＴデバイスのアプリケーションデータベースから前記ウェアラブルデバイスにダウンロードし、ダウンロードされた前記ウェアラブルデバイスアプリケーションを、前記ウェアラブルデバイスアプリケーションデータベース内に格納するステップを更に含む、請求項１に記載の方法。
【請求項７】
モノのインターネットデバイスすなわちＩｏＴデバイスから遠隔にあるウェアラブルデバイスを使用して、当該ＩｏＴデバイスを制御するシステムであって、当該システムは、
１つ以上のウェアラブルデバイスアプリケーションを格納するアプリケーションネットワークデータベースと、通信インターフェースとを含むアプリケーションネットワークと、
１つ以上のウェアラブルデバイスアプリケーションを格納するアプリケーションデータベースと、通信インターフェースと、１つ以上のアクチュエータとを含むＩｏＴデバイスと、
一意のウェアラブルデバイスＩＤを含むウェアラブルデバイスであって、少なくとも１つのセンサと、プロセッサと、１つ以上のウェアラブルデバイスアプリケーションを格納するためのウェアラブルデバイスアプリケーションデータベースと、通信インターフェースとを含む、着用又は持ち運ばれるウェアラブルデバイスと、
を含み、
前記ウェアラブルデバイスは、（ｉ）前記少なくとも１つのセンサから、センサデータを受信し、（ｉｉ）受信した前記センサデータのデータのタイプを決定し、（ｉｉｉ）受信した前記センサデータの決定された前記データのタイプに基づいて、受信した前記センサデータを、前記ウェアラブルデバイスアプリケーションデータベース内に格納された前記１つ以上のウェアラブルデバイスアプリケーションとマッチさせ、（ｉｖ）受信した前記センサデータを解析するために、前記ウェアラブルデバイスアプリケーションデータベース内に格納された前記１つ以上のウェアラブルデバイスアプリケーションのうちの少なくとも１つを、少なくとも１つのマッチに基づいて選択し、（ｖ）受信した前記センサデータを、選択された前記１つ以上のウェアラブルデバイスアプリケーションのうちの前記少なくとも１つであるそれぞれのウェアラブルデバイスアプリケーションに係る所定のトリガと比較することによって、選択された前記１つ以上のウェアラブルデバイスアプリケーションのうちの前記少なくとも１つを介して、受信した前記センサデータを解析し、（ｖｉ）受信した前記センサデータが、トリガリングイベントを含む場合、前記ＩｏＴデバイス向けの１つ以上の動作コマンドを生成し、（ｖｉｉ）（ａ）前記１つ以上の動作コマンド、及び（ｂ）前記一意のウェアラブルデバイスＩＤの両方を、前記ＩｏＴデバイスに送信し、前記ＩｏＴデバイスは、送信された前記１つ以上の動作コマンド、及び送信された前記一意のウェアラブルデバイスＩＤに応じて、（ｃ）ＩｏＴデバイスコマンドデータベースからの少なくとも１つのＩｏＴデバイスコマンド、及び（ｄ）前記ＩｏＴデバイスの１つ以上のＩｏＴアクチュエータのための少なくとも１つのアクチュエータＩＤの両方を読み出す、システム。
【請求項８】
前記ウェアラブルデバイスは更に、ウェアラブルデバイス通信インターフェースを介して、前記アプリケーションネットワークと通信を確立し、前記アプリケーションネットワークデータベースから、ウェアラブルデバイスアプリケーションをダウンロードし、ダウンロードされた前記ウェアラブルデバイスアプリケーションを、前記ウェアラブルデバイスの前記ウェアラブルデバイスアプリケーションデータベース内に格納する、請求項７に記載のシステム。
【請求項９】
前記ウェアラブルデバイスは更に、ウェアラブルデバイス通信インターフェースを介して、前記ＩｏＴデバイスの前記アプリケーションデータベースと通信を確立し、前記ＩｏＴデバイスの前記アプリケーションデータベースから、ウェアラブルデバイスアプリケーションをダウンロードし、ダウンロードされた前記ウェアラブルデバイスアプリケーションを、前記ウェアラブルデバイスの前記ウェアラブルデバイスアプリケーションデータベース内に格納する、請求項７に記載のシステム。
【請求項１０】
前記ＩｏＴデバイスは、前記ウェアラブルデバイスから（ｉ）前記１つ以上の動作コマンド、及び（ｉｉ）前記一意のウェアラブルデバイスＩＤの両方を受信することに反応して、前記１つ以上のアクチュエータのうちの、読み出されたアクチュエータＩＤを介して識別されたアクチュエータを作動させる、請求項７に記載のシステム。
【請求項１１】
前記ＩｏＴデバイスは、前記ウェアラブルデバイスによって送信された前記１つ以上の動作コマンド、及び前記一意のウェアラブルデバイスＩＤに基づいて、前記ウェアラブルデバイスから（ｉ）前記１つ以上の動作コマンド、及び（ｉｉ）前記一意のウェアラブルデバイスＩＤの両方を受信することに反応して、前記１つ以上のアクチュエータのうちの、読み出されたアクチュエータＩＤを介して識別されたアクチュエータを作動させるかどうかを決定する、請求項７に記載のシステム。
【請求項１２】
遠隔のモノのインターネットデバイスすなわちＩｏＴデバイスを制御する、着用又は持ち運ばれるウェアラブルデバイスであって、当該ウェアラブルデバイスは、一意のウェアラブルデバイスＩＤを含み、
当該ウェアラブルデバイスは、
少なくとも１つのセンサと、
トリガリングイベントに反応して、（ｉ）１つ以上の動作コマンド、及び（ｉｉ）前記一意のウェアラブルデバイスＩＤの両方を遠隔の前記ＩｏＴデバイスに送信する通信インターフェースと、
１つ以上のウェアラブルデバイスアプリケーションを格納するためのウェアラブルデバイスアプリケーションデータベースと、
プロセッサと、
を含み、
前記プロセッサは、（ｉ）前記少なくとも１つのセンサからセンサデータを受信し、（ｉｉ）受信した前記センサデータのデータのタイプを決定し、（ｉｉｉ）受信した前記センサデータの決定された前記データのタイプに基づいて、受信した前記センサデータを、前記ウェアラブルデバイスアプリケーションデータベース内に格納された前記１つ以上のウェアラブルデバイスアプリケーションとマッチさせ、（ｉｖ）受信した前記センサデータを解析するために、前記ウェアラブルデバイスアプリケーションデータベース内に格納された前記１つ以上のウェアラブルデバイスアプリケーションのうちの少なくとも１つを、少なくとも１つのマッチに基づいて選択し、（ｖ）受信した前記センサデータが、トリガリングイベントを含むかどうかを決定するために、受信した前記センサデータを、選択された前記１つ以上のウェアラブルデバイスアプリケーションのうちの前記少なくとも１つであるそれぞれのウェアラブルデバイスアプリケーションに係る所定のトリガと比較することによって、選択された前記１つ以上のウェアラブルデバイスアプリケーションのうちの前記少なくとも１つを介して、受信した前記センサデータを解析し、（ｖｉ）受信した前記センサデータが、トリガリングイベントを含む場合、前記ＩｏＴデバイス向けの前記１つ以上の動作コマンドを生成し、（ｖｉｉ）前記通信インターフェースに、（ａ）前記１つ以上の動作コマンド、及び（ｂ）前記一意のウェアラブルデバイスＩＤの両方を、前記ＩｏＴデバイスに送信させ、前記ＩｏＴデバイスは、送信された前記１つ以上の動作コマンド、及び送信された前記一意のウェアラブルデバイスＩＤに応じて、（ｃ）ＩｏＴデバイスコマンドデータベースからの少なくとも１つのＩｏＴデバイスコマンド、及び（ｄ）前記ＩｏＴデバイスの１つ以上のＩｏＴアクチュエータのための少なくとも１つのアクチュエータＩＤの両方を読み出す、ウェアラブルデバイス。
【請求項１３】
前記プロセッサは更に、ウェアラブルデバイスアプリケーションを、前記ＩｏＴデバイスのアプリケーションデータベースからダウンロードし、ダウンロードされた前記ウェアラブルデバイスアプリケーションを、前記ウェアラブルデバイスアプリケーションデータベース内に格納する、請求項１２に記載のウェアラブルデバイス。
【請求項１４】
前記プロセッサは更に、ウェアラブルデバイスアプリケーションを、アプリケーションネットワークからダウンロードし、ダウンロードされた前記ウェアラブルデバイスアプリケーションを、前記ウェアラブルデバイスアプリケーションデータベース内に格納する、請求項１２に記載のウェアラブルデバイス。